(57)【要約】【課題】屋根にかかる重量を可及的に低減しながら屋根を緑化することのできる植栽用土嚢及び屋根の緑化構造を提供する。また、壁面の緑化構造についても提供する。【解決手段】本発明に係る植栽用土嚢では、10〜80重量％のパーライトと、10〜80重量％のバーミキュライトと、10〜80重量％の植物繊維とよりなる配合土が所定重量当たり90重量％以上を占める培養土を、不織布にて縫製された袋内に収容してなることとした。また、本発明に係る屋根の緑化構造では、屋根に配置した植栽用土嚢に給水する給水手段と、給水手段から給水された水を、植栽用土嚢の設置面側から供給する灌水手段とを具備する底面灌水装置を備えることとした。また、本発明に係る壁面の緑化構造では、壁面に配設した植栽用土嚢に給水する給水手段と、給水手段から給水された水を、植栽用土嚢の設置面側から供給する灌水手段とを具備する底面灌水装置を備えることとした。【選択図】図１
2012115196.tif 000002
【特許請求の範囲】
【請求項１】
10〜80重量％のパーライトと、10〜80重量％のバーミキュライトと、10〜80重量％の植物繊維とよりなる配合土が所定重量当たり90重量％以上を占める培養土を、不織布にて縫製された袋内に収容してなる植栽用土嚢。
【請求項２】
前記袋は、
植物の移植の際に切開される植栽面と、同植栽面に対向する設置面とを備え、同植栽面と前記設置面とを縫い合わせて当該袋内部を仕切る少なくとも一つの縫着部が形成され、前記培養土を収容したときに、谷状となる前記縫着部の周りに山状の培養土収納区画部が形成されるようにしたことを特徴とする請求項１に記載の植栽用土嚢。
【請求項３】
前記袋は、平面視略矩形状に形成すると共に、前記縫着部は、前記袋の各辺に平行な十字状に縫い合わせて形成したことを特徴とする請求項２に記載の植栽用土嚢。
【請求項４】
前記縫着部は、前記袋の平面視における略中央に設けたことを特徴とする請求項３に記載の植栽用土嚢。
【請求項５】
請求項１〜４に記載の植栽用土嚢を屋根に配置した屋根の緑化構造であって、
屋根に配置した前記植栽用土嚢に給水する給水手段と、前記給水手段から給水された水を、前記植栽用土嚢の設置面側から供給する灌水手段とを具備する底面灌水装置を備えることを特徴とする屋根の緑化構造。
【請求項６】
前記屋根は陸屋根であり、
前記底面灌水装置は、
前記陸屋根の被緑化領域に敷設した防水シートと、前記被緑化領域の外縁に沿って前記防水シート上に配設され、水源に連通連結した給水配管と、この給水配管を周壁として前記被緑化領域内に水を貯留可能に形成された貯水空間内に敷き詰められた軽石と、により構成し、
前記軽石上に配置された前記植栽用土嚢の設置面に、前記貯水空間内に貯留した水を供給可能としたことを特徴とする請求項５に記載の屋根の緑化構造。
【請求項７】
前記屋根は勾配屋根であり、
前記底面灌水装置は、
バーリング加工が施された多数の孔を有するパンチングメタルの前記孔の立ち上がり部が形成された面を上にして、前記勾配屋根の被緑化領域に敷設した導水板と、
同導水板の勾配の上手側に設けられ、水源に連通連結した給水配管と、により構成し、
前記パンチングメタル上に配置された前記植栽用土嚢の設置面に、前記パンチングメタルに穿設された孔の合間を縫って流下する水を供給可能に構成したことを特徴とする請求項５に記載の屋根の緑化構造。
【請求項８】
請求項１〜４に記載の植栽用土嚢を壁面に配設した壁面の緑化構造であって、
壁面に配設した前記植栽用土嚢に給水する給水手段と、前記給水手段から給水された水を、前記植栽用土嚢の設置面側から供給する灌水手段とを具備する底面灌水装置を備えることを特徴とする壁面の緑化構造。
【発明の詳細な説明】
【技術分野】
【０００１】
本発明は、植栽用土嚢、及び、同植栽用土嚢を配置した屋根の緑化構造、並びに、壁面の緑化構造に関する。
【背景技術】
【０００２】
従来、地面や法面、屋根などで緑化したい領域（以下、被緑化領域という。）を緑化するための植栽用の土嚢が知られている（例えば、特許文献１参照。）。
【０００３】
この植栽用土嚢によれば、被緑化領域に敷き詰めて、同植栽用土嚢の内部に収容した培養土に所望の植物を播種したり移植して育成させることで、被緑化領域を容易に緑化することができる。
【先行技術文献】
【特許文献】
【０００４】
【特許文献１】特開平１０−１６５０１４号公報
【発明の概要】
【発明が解決しようとする課題】
【０００５】
しかしながら、上記従来の植栽用土嚢は、袋内に収容した土が重いため、被緑化領域が屋根である場合には、屋根に大きな重量負担を強いることとなっていた。
【０００６】
本発明は、斯かる事情に鑑みてなされたものであって、屋根にかかる重量を可及的に低減しながら屋根を緑化することのできる植栽用土嚢を提供する。また、本発明ではさらに、屋根にかかる重量を可及的に低減することのできる屋根の緑化構造についても提供する。また、壁にかかる重量を可及的に低減することのできる壁面の緑化構造についても提供する。
【課題を解決するための手段】
【０００７】
上記課題を解決するために、請求項１に記載の植栽用土嚢では、10〜80重量％のパーライトと、10〜80重量％のバーミキュライトと、10〜80重量％の植物繊維とよりなる配合土が所定重量当たり90重量％以上を占める培養土を、不織布にて縫製された袋内に収容してなることとした。
【０００８】
また、請求項２に記載の植栽用土嚢では、請求項１に記載の植栽用土嚢において、前記袋は、植物の移植の際に切開される植栽面と、同植栽面に対向する設置面とを備え、同植栽面と前記設置面とを縫い合わせて当該袋内部を仕切る少なくとも一つの縫着部が形成され、前記培養土を収容したときに、谷状となる前記縫着部の周りに山状の培養土収納区画部が形成されるようにしたことに特徴を有する。
【０００９】
また、請求項３に記載の植栽用土嚢では、請求項２に記載の植栽用土嚢において、前記袋は、平面視略矩形状に形成すると共に、前記縫着部は、前記袋の各辺に平行な十字状に縫い合わせて形成したことに特徴を有する。
【００１０】
また、請求項４に記載の植栽用土嚢では、請求項３に記載の植栽用土嚢において、前記縫着部は、前記袋の平面視における略中央に設けたことに特徴を有する。
【００１１】
また、請求項５に記載の屋根の緑化構造では、請求項１〜４に記載の植栽用土嚢を屋根に配置した屋根の緑化構造であって、屋根に配置した前記植栽用土嚢に給水する給水手段と、前記給水手段から給水された水を、前記植栽用土嚢の設置面側から供給する灌水手段とを具備する底面灌水装置を備えることとした。
【００１２】
また、請求項６に記載の屋根の緑化構造では、請求項５に記載の屋根の緑化構造において、前記屋根は陸屋根であり、前記底面灌水装置は、前記陸屋根の被緑化領域に敷設した防水シートと、前記被緑化領域の外縁に沿って前記防水シート上に配設され、水源に連通連結した給水配管と、この給水配管を周壁として前記被緑化領域内に水を貯留可能に形成された貯水空間内に敷き詰められた軽石と、により構成し、前記軽石上に配置された前記植栽用土嚢の設置面に、前記貯水空間内に貯留した水を供給可能としたことに特徴を有する。
【００１３】
また、請求項７に記載の屋根の緑化構造では、請求項５に記載の屋根の緑化構造において、前記屋根は勾配屋根であり、前記底面灌水装置は、バーリング加工が施された多数の孔を有するパンチングメタルの前記孔の立ち上がり部が形成された面を上にして、前記勾配屋根の被緑化領域に敷設した導水板と、同導水板の勾配の上手側に設けられ、水源に連通連結した給水配管と、により構成し、前記パンチングメタル上に配置された前記植栽用土嚢の設置面に、前記パンチングメタルに穿設された孔の合間を縫って流下する水を供給可能に構成したことに特徴を有する。
【００１４】
また、請求項８に記載の壁面の緑化構造では、請求項１〜４に記載の植栽用土嚢を壁面に配設した壁面の緑化構造であって、壁面に配設した前記植栽用土嚢に給水する給水手段と、前記給水手段から給水された水を、前記植栽用土嚢の設置面側から供給する灌水手段とを具備する底面灌水装置を備えることとした。
【発明の効果】
【００１５】
請求項１に記載の植栽用土嚢によれば、10〜80重量％のパーライトと、10〜80重量％のバーミキュライトと、10〜80重量％の植物繊維とよりなる配合土が所定重量当たり90重量％以上を占める培養土を、不織布にて縫製された袋内に収容してなることとしたため、屋根にかかる重量を可及的に低減しながら屋根を緑化することのできる植栽用土嚢を提供することができる。
【００１６】
また、請求項２に記載の植栽用土嚢によれば、袋は、植物の移植の際に切開される植栽面と、植栽面に対向する設置面とを備え、植栽面と設置面とを縫い合わせて袋内部を仕切る少なくとも一つの縫着部が形成され、培養土を収容したときに、谷状となる縫着部の周りに山状の培養土収納区画部が形成されるようにしたため、できるだけ少ない培養土の量で、植栽した根の伸延を可及的に阻害することなく、植栽用土嚢の厚み、すなわち、植栽できる培養土の深さを確保することができる。
【００１７】
また、請求項３に記載の植栽用土嚢によれば、袋は、平面視略矩形状に形成すると共に、縫着部は、袋の各辺に平行な十字状に縫い合わせて形成したため、培養土収容区画部を平面視矩形状とすることができ、被緑化領域の形状に合わせやすい植栽用土嚢袋とすることができる。
【００１８】
また、請求項４に記載の植栽用土嚢によれば、縫着部は、袋の平面視における略中央に設けたため、植栽用土嚢に形成された各培養土収容区画部の内容積をそれぞれ略同じにすることができ、各培養土収容区画部に植栽した植物の生育をできるだけそれぞれ一様にすることができる。
【００１９】
また、請求項５に記載の屋根の緑化構造によれば、請求項１〜４に記載の植栽用土嚢を屋根に配置した屋根の緑化構造であって、屋根に配置した植栽用土嚢に給水する給水手段と、給水手段から給水された水を、植栽用土嚢の設置面側から供給する灌水手段とを具備する底面灌水装置を備えることとしたため、植栽した植物に供給する水の屋根に対する重量負担を可及的に低減しつつ、植物に対して十分な水分を供給することができる。
【００２０】
また、請求項６に記載の屋根の緑化構造によれば、屋根は陸屋根であり、底面灌水装置は、陸屋根の被緑化領域に敷設した防水シートと、被緑化領域の外縁に沿って防水シート上に配設され、水源に連通連結した給水配管と、この給水配管を周壁として被緑化領域内に水を貯留可能に形成された貯水空間内に敷き詰められた軽石と、により構成し、軽石上に配置された植栽用土嚢の設置面に、貯水空間内に貯留した水を供給可能としたため、陸屋根に対しても植物に供給する水の屋根に対する重量負担を可及的に低減しつつ、植物に対して十分な水分を供給することができる。
【００２１】
また、請求項７に記載の屋根の緑化構造によれば、屋根は勾配屋根であり、底面灌水装置は、バーリング加工が施された多数の孔を有するパンチングメタルの孔の立ち上がり部が形成された面を上にして、勾配屋根の被緑化領域に敷設した導水板と、同導水板の勾配の上手側に設けられ、水源に連通連結した給水配管と、により構成し、パンチングメタル上に配置された植栽用土嚢の設置面に、パンチングメタルに穿設された孔の合間を縫って流下する水を供給可能に構成したため、勾配屋根に対しても植物に供給する水の屋根に対する重量負担を可及的に低減しつつ、植物に対して十分な水分を供給することができる。
【００２２】
また、請求項８に記載の壁面の緑化構造によれば、請求項１〜４に記載の植栽用土嚢を壁面に配設した壁面の緑化構造であって、壁面に配設した前記植栽用土嚢に給水する給水手段と、前記給水手段から給水された水を、前記植栽用土嚢の設置面側から供給する灌水手段とを具備する底面灌水装置を備えることとしたため、壁面にかかる重量を可及的に低減しながら壁面を緑化することのでき、また、植栽した植物に対して十分な水分を供給して緑化を効率的に行うことができる。
【図面の簡単な説明】
【００２３】
【図１】本実施形態に係る植栽用土嚢の外観及び断面を示した説明図である。
【図２】植栽用土嚢を構成する植栽用土嚢袋を示した説明図である。
【図３】植栽用土嚢の使用例を示した説明図である。
【図４】植栽用土嚢の変形例を示した説明図である。
【図５】陸屋根における屋根の緑化構造を示した説明図である。
【図６】陸屋根における屋根の緑化構造の断面を示した説明図である。
【図７】勾配屋根における屋根の緑化構造を示した説明図である。
【図８】勾配屋根における屋根の緑化構造の断面を示した説明図である。
【図９】壁面の緑化構造を示した説明図である。
【図１０】植栽用土嚢の構成及び取付方法を示した説明図である。
【図１１】緑化構造に使用する波状板の変形例を示した説明図である。
【図１２】緑化構造における底面灌水装置の変形例を示した説明図である。
【発明を実施するための形態】
【００２４】
本実施形態に係る植栽用土嚢は、10〜80重量％のパーライトと、10〜80重量％のバーミキュライトと、10〜80重量％の植物繊維とよりなる配合土が所定重量当たり90重量％以上を占める培養土を、不織布にて縫製された袋内に収容して構成したものである。
【００２５】
ここで、パーライトは、火山岩として産出されるパーライトや、黒曜石を高温で熱処理した発泡体を用いることができ、直径約５〜10mm程度のものを好適に使用することができる。このパーライトは、軽量でかつ空気を多く含むため、嵩増しをするための素材として混入される。また、植物の生育に必要な水分を保持するための素材としても機能する。
【００２６】
バーミキュライトは、蛭石を600〜1000℃で焼成処理して膨張させたものであり、園芸用に市販されているものを好適に用いることができる。このバーミキュライトは、植物の生育に必要な養分を保持するための素材として機能するものである。
【００２７】
植物繊維は、植物の繊維質を乾燥させたものである。例えば、サトウキビ繊維、竹繊維、樹皮、籾殻、ピートモス、おがくず等を用いることができるが、好適には、成熟果ココナッツの表面繊維である。植物繊維をサトウキビ繊維や竹繊維、成熟果ココナッツの表面繊維とした場合、その繊維長は例えば３〜２０ｃｍ程度とするのが好ましい。このような長さの植物繊維（以下、長繊維ともいう。）は、培養土内でバネのような役割を果たし、培養土の嵩増しを行うと共に、他の素材を押しのけて素材間の間隙を大きくし、培養土の所定体積当たりのボイドボリュームを大きくすることができる。
【００２８】
そして、上述のパーライト、バーミキュライト、植物繊維（以下、これらの素材を総称して「配合土構成素材」という。）を、それぞれ10〜80重量％となるように混合して配合土を調製する。特に、パーライト、バーミキュライト、植物繊維を、それぞれ30〜40重量％となるように混合することにより、さらに好適な配合土とすることができる。
【００２９】
培養土は、配合土を90〜100重量％含有させるのが好ましい。すなわち、培養土の全体が配合土にて構成されていても良いが、培養土の少なくとも90重量％を配合土が占めるようにし、残余を肥料や腐葉土などで構成するようにしても良い。
【００３０】
残余分が培養土全体の10重量％を上回ると、培養土の重量が増加して、植栽用土嚢を屋根に載置した際に、屋根への重量負担が増えることとなるため好ましくない。
【００３１】
このようにして調製した培養土は、植物の生育に必要な水分を保持しながらも、過剰に供給された水や雨水（以下、「余剰水」という。）は効率的に排出することができ、植物の根部に起こりがちな根腐れや蒸れを効果的に防止することができる。
【００３２】
特に、本実施形態に係る培養土は、配合土構成素材間の空隙が多く、植物の根部に十分な空気（酸素）を供給できる点に特徴を有している。本発明者は、植物の根に酸素を多く供給してやることにより、植物が良好に育成できることを見出しており、このような培養土は、植物の生育を助長することができる。
【００３３】
しかも、培養土は、十分な保水を可能としながらも、水はけが非常に良いため、一旦、配合土構成素材間の空隙が余剰水で満たされた場合でも、余剰水は速やかに排出され、余剰水と外気が置換され、空隙は再び新鮮な空気で満たされることとなる。
【００３４】
すなわち、降雨などにより余剰水が発生する毎に、余剰水が排出された後は新鮮な空気が根部に供給されることとなるため、植物の繁茂を助長し、被緑化領域の緑化を促進させることができる。
【００３５】
そして、このようにして調製した培養土を、不織布にて縫製した袋内に収容することで植栽用土嚢を形成することができる。
【００３６】
不織布は、毛細管現象によって水分を植栽用土嚢に移動させることができるものであれば特に限定されるものではない。好適には例えば、九州ネネットより販売されている品番E-1140（厚み約1mm,目付け140g/m2,ポリエステル製,熱圧着加工,エンボス加工）を用いることができる。
【００３７】
袋の大きさや形状は特に限定されるものではないが、例えば、培養土を収容した際に、長さ50cm×幅50cm×厚み10cm程度となるような矩形状としても良い。このような構成とすることにより、やや複雑な形状の被緑化領域においても、比較的柔軟に植栽用土嚢の外形を変形させてきれいに配置することができる。
【００３８】
また、植栽用土嚢は、中央部を谷状に凹ませる一方、その周辺部に培養土を偏らせて膨大部を形成するのが好ましい。
【００３９】
換言すれば、不織布で形成した植栽用土嚢袋の表裏両面を略中央部で縫着し、培養土を収容したときに、縫着部を谷状としつつ、その周りに山状の培養土収納区画部が形成されるようにして膨大部を形成する。植物は、この膨大部に植栽する。
【００４０】
このような構成とすることにより、少ない培養土の量、換言すれば、使用する培養土の重量を減らしつつ、植栽した植物の根が伸長するのに十分な培養土の深さを確保することができ、重量を可及的に低減しながら被緑化領域を緑化することのできる植栽用土嚢を提供することができる。
【００４１】
植栽用土嚢に植栽する植物は特に限定されるものではないが、例えば、ミューレンベッキア属に属するMuehlenbeckia axillarisや、Muehlenbeckia complexa等の所謂ワイヤープランツが好適である。これらのワイヤープランツは、匍匐性の常緑小低木（矮小灌木）として知られており、日照りや寒さ、乾燥に強いという特徴がある。
【００４２】
このように形成した植栽用土嚢は、地面や法面、壁面、屋根など場所を問わず極めて効果的な緑化を行うことができるが、特に、屋根や壁面における緑化に効果を発揮する。
【００４３】
本実施形態に係る屋根の緑化構造では、このように形成した植栽用土嚢を整然と配置して構成するものである。
【００４４】
具体的には、植栽用土嚢を屋根に配置した屋根の緑化構造であって、屋根に配置した前記植栽用土嚢に給水する給水手段と、前記給水手段から給水された水を、前記植栽用土嚢の設置面側から供給する灌水手段とを具備する底面灌水装置を備えている。
【００４５】
給水手段は、植栽用土嚢に水分を供給することのできるものであれば、特に限定されるものではなく、例えば、水道水、井戸水、河川や湖の水、貯留雨水等を供給するものであっても良い。
【００４６】
これらの水は、植栽用土嚢に対して上方から散布しても良いが、本実施形態に係る植栽用土嚢の大きな特徴の一つとして、底面から水分を補給することができるため、底面灌水方式を採用するのが好適である。
【００４７】
植栽用土嚢の上方より水を散布する方法は数多く提案されているが、設備が複雑化する傾向がある。特に屋根上では、できるだけ重量を軽く抑えるのが好ましいため、重量の嵩む複雑な設備は避ける必要がある。
【００４８】
その一方、底面灌水方式によれば、広範に亘る被緑化領域に水をくまなく散布する設備が不要となるため、屋根への重量負担を軽減することが可能となる。
【００４９】
例えば屋根が陸屋根の場合、底面灌水装置は、陸屋根の被緑化領域に敷設した防水シートと、前記被緑化領域の外縁に沿って前記防水シート上に配設され、水源に連通連結した給水配管と、この給水配管を周壁として被緑化領域内に水を貯留可能に形成された貯水空間内に敷き詰められた軽石と、により構成し、軽石上に配置された前記植栽用土嚢の設置面に、前記貯水空間内に貯留した水を供給可能に構成しても良い。
【００５０】
ここで陸屋根は、必ずしも地面に完全に水平な屋根のみを示すものではない。一般的な陸屋根には、雨水を排水するために若干の傾斜を設けてあり、そのような屋根もまた本明細書における陸屋根に含むものである。
【００５１】
また、例えば屋根が勾配屋根の場合、底面灌水装置は、バーリング加工が施された多数の孔を有するパンチングメタルの前記孔の立ち上がり部が形成された面を上にして、勾配屋根の被緑化領域に敷設した導水板と、同導水板の勾配の上手側に設けられ、水源に連通連結した給水配管と、により構成し、パンチングメタル上に配置された植栽用土嚢の設置面に、パンチングメタルに穿設された孔の合間を縫って流下する水を供給可能に構成しても良い。
【００５２】
ここでパンチングメタルは、金属板にパンチ加工を施して穿孔した板であり、しかも、バーリング加工が施されることで孔の周囲に立ち上がり部が形成されたものとしている。パンチングメタルを構成する金属は、パンチ加工及びバーリング加工を施すことのできる金属であれば特に限定されるものではなく、例えば、アルミニウムやステンレスで構成するようにしても良い。
【００５３】
このような構成とすることにより、パンチングメタル上を流下する水が少量である場合には、流下する水を孔から漏出させることなく植栽用土嚢に必要な水を供給うすることができ、流下する水が多量である場合には、立ち上がり部を乗り越えた余剰水を孔から漏出させて、植栽用土嚢に供給する水を適正量に保つことができる。
【００５４】
すなわち、パンチングメタルの立ち上がり部は、その高さによってパンチングメタル上を流下する水量を調整する役割を担っている。パンチングメタル上に形成された多数の孔の立ち上がり部の高さは、いずれも一様としてもよく、また、場所に応じて高さを変更するようにしても良い。
【００５５】
例えば、勾配屋根の傾斜面の上手側、すなわち、勾配屋根の上流側では、上流部に配置された植栽用土嚢に供給する水に加えて、下流側の植栽用土嚢に供給するための水も含まれるため水量が多くなるので、立ち上がり部の高さを高めに設定し、下流側に向かうに従い、水量が減少するため、立ち上がり部の高さを漸次低く設定するよう構成しても良い。
【００５６】
以下、本実施形態に係る植栽用土嚢、及び、同植栽用土嚢を用いた屋根の緑化構造について図面を参照しながら説明する。図１は本実施形態に係る植栽用土嚢Ａの外観及び断面を示した説明図であり、図２は植栽用土嚢Ａを構成する植栽用土嚢袋１０を示した説明図である。
【００５７】
〔植栽用土嚢の構造〕
図１に示すように植栽用土嚢Ａは、袋状の植栽用土嚢袋１０（図２参照）内に培養土１１を収容して形成しており、平面視略正方形状の培養土収容部１２と、植栽用土嚢袋１０の端部を折り曲げて形成した閉塞部１３とを備えている。
【００５８】
培養土１１は、10〜80重量％のパーライトと、10〜80重量％のバーミキュライトと、10〜80重量％の植物繊維とよりなる配合土が所定重量当たり90重量％以上を占めるものであり、本実施形態では、33重量％のパーライトと、33重量％のバーミキュライトと、34％の成熟果ココナッツの表面繊維とよりなる配合土を95重量％含み、残り５重量％を肥料とした培養土１１としている。
【００５９】
培養土収容部１２は、植物の移植の際に切開される植栽面１５と、同植栽面１５に対向する設置面１６とを備えており、略中央部に形成した十字状の縫着部１７により膨出させて形成された４つの山状の膨大部１８が形成されている。なお、本実施形態では、植物は、日照りや乾燥に強いワイヤープランツ２０としている。
【００６０】
ワイヤープランツ２０は、この膨大部１８にそれぞれ植栽されている。具体的には、膨大部１８の植栽面１５の一部を切開し、露出した培養土１１にワイヤープランツ２０を植栽するようにしている。
【００６１】
ワイヤープランツ２０を生育させるのに必要な水は、後述の底面灌水装置によって供給される。供給された水は、不織布により構成された設置面１６の毛細管現象により、植栽用土嚢袋１０全体を湿潤させ、更に培養土１１を潤すこととなる。
【００６２】
縫着部１７は、図２に示すように、培養土１１を収容する植栽用土嚢袋１０に予め形成している。特に本実施形態において縫着部１７は、植栽用土嚢袋１０の側辺２１に平行な縦縫い部２２と、底辺２３に平行な横縫い部２４とよりなる十字状としており、植栽用土嚢袋１０の内部を中央で４つの区画に仕切って、４つの培養土収納区画部１９を形成している。ただし、ここで縫着部１７により形成される仕切は、４つの培養土収納区画部１９を完全に独立させて仕切るものではなく、隣り合う培養土収納区画部１９間の連通状態を保ちつつ、培養土１１を収容した際にくびれが形成される程度の仕切としている。
【００６３】
このような構成とすることにより、培養土収納区画部１９に培養土１１が収容されることで膨大部１８が形成された際に、縦縫い部２２及び横縫い部２４の伸延方向にくびれを形成することができ、図１（ｂ）に示すように、このくびれを挟んで両側に膨大部１８を形成して、植栽用土嚢Ａの厚みの確保を行うことができる。なお、図１（ｂ）は、図１（ａ）におけるＸ−Ｘ断面図である。
【００６４】
したがって、ワイヤープランツ２０の根を比較的深い位置まで伸延させることができ、ワイヤープランツ２０の生育を良好とすることができ、緑化を促進させることができる。
【００６５】
しかも、ワイヤープランツ２０の根は、植栽された膨大部１８のみならず、隣接する他の膨大部１８内へ向けて伸延することができるため、ワイヤープランツ２０の生育を可及的阻害することなく、被緑化領域の緑化を更に促進させることができる。
【００６６】
なお、図２に示したように、本実施形態において植栽用土嚢袋１０は、１枚の不織布を折畳み、底辺２３と背中部とを縫製して袋状とし、縫い代が袋の内側に現れるよう反転させて形成しているがこれに限定されるものではなく、縫い代が露出するよう構成しても良い。
【００６７】
また、植栽用土嚢袋１０内に収容する培養土１１の量は、必ずしも４つの膨大部１８が形成される程度に収容する必要はない。例えば、図３に示すように、２つの膨大部１８が形成される程度の培養土１１を収容し、植栽用土嚢袋１０の一部を設置面１６側に折り畳んで植栽用土嚢Ａを形成するようにしても良い。この場合、後述する底面灌水装置により供給された水は、毛細管現象により、折り返した部分を介して設置面１６まで浸透し、培養土１１に至ることとなる。
【００６８】
このように形成することで、植栽用土嚢Ａをよりコンパクトなものとすることができ、被緑化領域の形状に合わせてくまなく植栽用土嚢Ａを敷設することができる。
【００６９】
なお、植栽用土嚢袋１０内に収容する培養土１１の量は、膨大部１８の厚さが５〜１０ｃｍ程度となるように収容するのが良い。
【００７０】
５ｃｍを下回ると、ワイヤープランツ２０の根の伸長を阻害してしまい、ワイヤープランツ２０の良好な生育を妨げるおそれがある。また、１０ｃｍを上回る量の培養土１１を収容しても、ワイヤープランツ２０の生育をさらに良好なものとするのは困難であるばかりでなく、植栽用土嚢Ａの重量が大きくなるため好ましくない。
【００７１】
植栽用土嚢Ａは、図２に示した植栽用土嚢袋１０の開口部１４から、培養土１１を収容し、開口部１４を折り畳んで縫合して閉塞部１３を形成することで構成する。
【００７２】
また、図１（ａ）に示すように、植栽用土嚢Ａの角部には連結リング２５が配設されている。この連結リング２５は、複数の植栽用土嚢Ａを相互に連結する際に使用するものである。この連結リング２５を用いて植栽用土嚢Ａを互いに連結することにより、風などによって植栽用土嚢Ａが動いてしまうことを防止するようにしている。
【００７３】
また、図１〜図３にて示した植栽用土嚢Ａは、植栽用土嚢袋１０の略中央部に、十字状の縫着部１７を一つ形成して、４つの山状の膨大部１８を形成することとしたが、これに限定されるものではない。
【００７４】
例えば、図４（ａ）に示すように、植栽用土嚢袋１０の底辺２３から開口部１４（閉塞部１３）にかけて適宜の間隔をあけながら、縫着部１７としての横縫い部２４を複数（図４では３つ）形成し、植栽用土嚢袋１０の内部を底辺２３から開口部１４にかけて４つの培養土収納区画部１９に仕切って、４つの膨大部１８を形成しても良い。
【００７５】
また、図４（ｂ）に示す例では、植栽用土嚢袋１０の各四隅を頂点とする三角形の底辺に沿って縫着部１７としての斜め縫い部２６をそれぞれ形成し、植栽用土嚢袋１０の内部を各四隅と中央部との５つの区画に仕切って、三角形状の４つの培養土収納区画部１９と、１つの略菱形の培養土収納区画部１９とを形成している。
【００７６】
このように植栽用土嚢袋１０を形成することにより、植栽用土嚢袋１０内に培養土１１を収容すれば、５つの膨大部１８にそれぞれ植栽を行うことができる。
【００７７】
また、図４（ｃ）に示す例では、植栽用土嚢袋１０の底辺２３から開口部１４にかけて適宜の間隔をあけながら、十字状の縫着部１７を２つ形成して、６つの山状の膨大部１８を形成している。
【００７８】
このような植栽用土嚢袋１０を形成することによっても、植栽用土嚢袋１０内に培養土１１を収容すれば、６つの膨大部１８にそれぞれ植栽を行うことができる。
【００７９】
なお、図４に示したいずれの植栽用土嚢Ａにおいても、縫着部１７により形成される仕切は、各培養土収納区画部１９を完全に独立させて仕切るものではなく、隣り合う培養土収納区画部１９間の連通状態を保ちつつ、培養土１１を収容した際にくびれが形成される程度の仕切とすべきである。
【００８０】
本実施形態に係る植栽用土嚢Ａは、上述のような構成としたため、軽量化を図りながらも、屋根にかかる重量を可及的に低減しながら屋根を緑化することのできる植栽用土嚢を提供することができる。
【００８１】
〔陸屋根における屋根の緑化構造〕
次に、この植栽用土嚢Ａを用いた屋根の緑化構造について、図面を参照しながら説明する。図５は陸屋根における屋根の緑化構造を示した説明図であり、図６は緑化構造の断面を示した説明図である。
【００８２】
図５に示す緑化構造Ｂは、ビルディング３０の屋上部を形成する陸屋根３１の被緑化領域３２内に、多数の植栽用土嚢Ａを敷き詰めて形成している。なお、図５に示す緑化構造Ｂでは、被緑化領域３２を陸屋根３１の一部としているが、陸屋根３１の全部を被緑化領域３２としても良いのは勿論である。すなわち、被緑化領域３２は所望の形状に変更可能である。
【００８３】
緑化構造Ｂは、図６に示すように、防水シート３３と、給水配管３４と、軽石３５と、植栽用土嚢Ａとを備えている。
【００８４】
防水シート３３は、陸屋根３１上の被緑化領域３２に敷設しており、給水配管３４から供給される水の漏出を防止するとともに、植栽用土嚢Ａに植栽したワイヤープランツ２０の根が陸屋根３１に侵入するのを防止する役割を担うものである。
【００８５】
給水配管３４は、水道管などの図示しない水源に連通連結されており、敷設した防水シート３３上に被緑化領域３２の外周に沿って配設している。これら水源と給水配管３４は、給水手段としての役割を担うものである。また、給水配管３４は、防水シート３３との間に隙間が生じないよう、コーキング材３６により水密状態で防水シート３３上に固定されており、給水配管３４を周壁として給水配管３４で囲まれた領域内に水を貯留する貯水空間Ｖとしている。
【００８６】
また、給水配管３４の貯水空間Ｖ側には給水口３７が穿設しており、給水配管３４内部を流通する水を貯水空間Ｖへ供給し、貯水空間Ｖに水を貯留してプール状とすることができるように構成している。
【００８７】
また、貯水空間Ｖには、軽石３５が敷き詰められている。この軽石３５は、植栽用土嚢Ａの設置面１６に接触させることで、貯水空間Ｖ内に貯留された水を植栽用土嚢Ａに供給する働きを有している。なお、本実施形態では軽石３５を用いることとしているが、直径５〜１５ｍｍ程度の軽量な粒体であれば特に限定されるものではない。なお、この軽石３５と、上述した防水シート３３と、給水配管３４とは、植栽用土嚢Ａの設置面１６側から供給する灌水手段として機能し、同灌水手段と前述の給水手段とで底面灌水装置を構成している。
【００８８】
緑化構造Ｂを上述のような構成とすることにより、陸屋根３１の被緑化領域３２を、軽量かつ容易に緑化することができる。また、このような緑化を行うことにより、太陽からの照り付けによる陸屋根３１の過熱を防止して、ビルディング３０内の室内温度を緑化しない場合に比して低下させることができる。
【００８９】
また、このような緑化構造Ｂによれば、一旦貯水空間Ｖに水を貯留できれば、給水手段による給水量は僅かでよいため、ワイヤープランツ２０の育成に使用する水量、すなわち、被緑化領域３２を緑化するために必要な水量を飛躍的に削減することができる。
【００９０】
〔勾配屋根における屋根の緑化構造〕
次に、植栽用土嚢Ａを用いた他の屋根の緑化構造について、図７及び図８を参照しながら説明する。図７は勾配屋根における屋根の緑化構造Ｃを示した説明図であり、図８は緑化構造Ｃの断面を示した説明図である。
【００９１】
図７に示す緑化構造Ｃは、建屋４０の屋上部を形成する勾配屋根４１の被緑化領域４２内に、多数の植栽用土嚢Ａを敷き詰めて形成している。なお、図７に示す緑化構造Ｃでは、被緑化領域４２を勾配屋根４１の全部としているが、勾配屋根４１の一部を被緑化領域４２としても良いのは勿論である。また、図７に示す勾配屋根４１は、金属板材を断面視略台形状に折曲させて形成した、所謂折板屋根としているが、これに限定されるものではなく、断面を略三角形状や滑らかな波状に形成したものであっても良い。
【００９２】
緑化構造Ｃは、勾配屋根４１の被緑化領域４２よりも高い位置、すなわち、上流側に給水配管４４を配設している。
【００９３】
給水配管４４は、建屋４０に備えられた給水装置４５に給水管４６を介して接続しており、給水装置４５より供給される水を、給水配管４４に送給可能に構成している。なお、この給水配管４４、給水装置４５、給水管４６は、本勾配屋根における屋根の緑化構造Ｃの給水手段として機能する。
【００９４】
また、給水配管４４には、勾配屋根４１の低い位置、すなわち下流側へ向けて給水口４７が複数設けられており、同給水配管４４よりも下流側へ向けて吐水可能に構成している。
【００９５】
給水配管４４より吐水された水は、被緑化領域４２に配設された植栽用土嚢Ａを潤しながら植栽用土嚢Ａの裏面側を徐々に流下し、建屋４０に配設された雨樋４８を通じて排出される。
【００９６】
植栽用土嚢Ａの裏面側には、給水配管４４から給水された水を、植栽用土嚢Ａの設置面側から供給する灌水手段が設けられている。この灌水手段について、図８を参照しながら更に説明する。
【００９７】
図８は勾配屋根４１の構造を一部切り欠いて示した説明図である。図８にも示すように、勾配屋根４１の波板５０上には、灌水手段として機能するパンチングメタル５１が配設されており、同パンチングメタル５１上に植栽用土嚢Ａが載置されている。本勾配屋根における屋根の緑化構造Ｃでは、このパンチングメタル５１と前述の給水手段とで、底面灌水装置を構成している。なお、パンチングメタル５１の勾配屋根４１への取付けは、例えば勾配屋根４１が折板屋根である場合、屋根面の上方へ向けてボルトが複数本突出している場合が多く、パンチングメタル５１をこのボルトに挿通させて、ナット等で固定するようにしても良い。また、雨漏り等に十分留意して施工するのであれば、勾配屋根４１にパンチングメタル５１を載置した状態で、パンチングメタル５１の表面から勾配屋根４１へ向けてネジ止めし固定するようにしても良い。すなわち、パンチングメタル５１の勾配屋根４１への取付けは、適当な締結部材を用いて公知の方法により行うことができる。
【００９８】
このパンチングメタル５１は、バーリング加工が施されて立ち上がり部５２が形成された多数の孔５３を有している。
【００９９】
このような構成を有する緑化構造Ｃにおいて、給水配管４４から被緑化領域４２へ水が供給されると、水は、パンチングメタル５１上を流下し始める。
【０１００】
植栽用土嚢Ａの裏面に達した水は、設置面１６から吸収されて、培養土１１を潤し、ワイヤープランツ２０の根に至ることとなる。
【０１０１】
また、上流側の植栽用土嚢Ａにて吸収されなかった水は、パンチングメタル５１上をさらに流下して、下流側に敷設された植栽用土嚢Ａに吸収される。
【０１０２】
そして、いずれの植栽用土嚢Ａにも吸収されなかった水は、最終的に雨樋４８により回収されて、屋根上から排出されることとなる。
【０１０３】
また、雨天時には、多量の雨水が被緑化領域４２に降り注ぐこととなるが、このような余剰水は、植栽用土嚢Ａからパンチングメタル５１にしたたり落ちて、パンチングメタル５１上を流下して雨樋４８より排出される。
【０１０４】
また、パンチングメタル５１の立ち上がり部５２の高さｄよりも多くの水がパンチングメタル５１上に流れた時は、孔５３より排出されて、波板５０上に至り、同波板５０上を流下して雨樋４８より排出されることとなる。
【０１０５】
緑化構造Ｃを上述のような構成とすることにより、勾配屋根４１の被緑化領域４２を、軽量かつ容易に緑化することができる。また、このような緑化を行うことにより、太陽からの照り付けによる勾配屋根４１の過熱を防止して、建屋４０内の室内温度を緑化しない場合に比して低下させることができる。
【０１０６】
また、このような緑化構造Ｃによれば、一旦植栽用土嚢Ａ全部を潤したあとは、給水手段による給水量は僅かでよいため、ワイヤープランツ２０の育成に使用する水量、すなわち、被緑化領域４２を緑化するために必要な水量を飛躍的に削減することができる。
【０１０７】
なお、本勾配屋根における屋根の緑化構造Ｃでは、灌水手段としてパンチングメタル５１を使用したが、これに限定されるものではない。例えば、一般に屋根などに用いられる樹脂製の波板を、同波板の畝の伸延方向が傾斜方向と略直交する状態で配設し、波板上の水が複数の段差を乗り越えて流下するように構成しても良い。
【０１０８】
このような構成とすることにより、波板の谷部に水を貯留しつつ、山部を前述の孔の立ち上がり部５２のように機能させることができ、更に安価に勾配屋根における屋根の緑化構造を構成することができる。
【０１０９】
〔壁面における緑化構造〕
次に、植栽用土嚢Ａを用いた壁面の緑化構造について、図９及び図１０を参照しながら説明する。図９は壁面の緑化構造Ｅを示した説明図であり、図１０は緑化構造Ｅに用いる植栽用土嚢Ａの構造や取付方法を示した説明図である。なお、図９は説明の便宜上、緑化構造Ｅの一部を示し、また、さらに一部を切り欠いて示している。
【０１１０】
図９に示す緑化構造Ｅは、図示しない建屋の一部を構成する壁面６０の被緑化領域６１内に、複数の植栽用土嚢Ａを取り付けて形成している。具体的には、緑化構造Ｅは、壁面６０に取り付けられる波状板５４と、同波状板５４に沿って水を流下可能に配設した給水配管６２と、波状板５４に取り付けた植栽用土嚢Ａとで構成している。
【０１１１】
波状板５４の表面は、図９の拡大図にも示すように、壁面６０に対して略直交するように形成された水平部５５と、同水平部５５がオーバーハング状となるように形成された斜部５６との繰り返しによる波状面としており、水６６が水平部５５にて滞留しつつ、斜部５６を伝いながら波状板５４を流下するようにしている。水平部５５は、植栽用土嚢Ａの設置面１６に近接しているため、滞留した水の一部は植栽用土嚢Ａに吸収されて培養土１１を潤すこととなる。この波状板５４は、本緑化構造Ｅの灌水手段として機能する。
【０１１２】
また、波状板５４には、同波状板５４の面に対して垂直に、土嚢取付片６３が突設されている。この土嚢取付片６３は、植栽用土嚢Ａを係止するためのものであり、図９では、上下方向に植栽用土嚢Ａの１個分の間隔を隔てて突設されており、取付ナット６４と螺合可能な雄ネジが形成されている。
【０１１３】
給水配管６２は、波状板５４に沿って水６６を流下させて植栽用土嚢Ａに対して底面灌水を行うための給水手段として機能するものであり、図示しない水源からの水６６を受け入れ可能に構成している。また、給水配管６２は、断面視略三角形状としており、給水配管６２の下端に穿設された給水口６５から吐出される水６６を、できるだけ波状板５４に沿って供給できるようにしている。また、この給水手段としての給水配管６２と、前述の灌水手段としての波状板５４とで、本緑化構造Ｅの底面灌水装置を構成している。
【０１１４】
植栽用土嚢Ａは、前述の波状板５４に、土嚢取付片６３及び取付ナット６４によって取り付けられており、植物として、匍匐性を有する蔓性の蔦６７（ツタ）が植栽されている。
【０１１５】
ここで、緑化構造Ｅにおける植栽用土嚢Ａは、図１０（ａ）に示すように、前述の緑化構造Ｂや緑化構造Ｃにおいて使用した植栽用土嚢Ａとほぼ同様の構造としているが、縫着部１７にハトメ６８を取り付けて、植栽用土嚢Ａの表裏を補強しながら貫通させている点で構造を異にしている。なお、図１０（ａ）では、蔦６７は省略して示している。
【０１１６】
そして、波状板５４に植栽用土嚢Ａを取り付ける際には、ハトメ６８に土嚢取付片６３を挿通させ、必要に応じてワッシャーを介して取付ナット６４を螺合させて締め付ける。このようにして、緑化構造Ｅを形成することができる。
【０１１７】
なお、本緑化構造Ｅでは、中央部に十字状の縫着部１７を形成した植栽用土嚢Ａを用いて構成したが、これに限定されるものではなく、例えば、図１０（ｂ）に示すように、植栽用土嚢Ａに複数（図１０（ｂ）では２箇所）設けた各縫着部１７に植栽用土嚢Ａを貫通する状態でハトメ６８を取り付けて、１つの植栽用土嚢Ａを複数箇所で波状板５４に固定するよう構成しても良い。なお、この場合、波状板５４上には、配置する植栽用土嚢Ａの各ハトメ６８と対応する箇所に土嚢取付片６３を立設しておく。
【０１１８】
また、本緑化構造Ｅにおいて植栽用土嚢Ａの波状板５４への取付は、波状板５４上に立設した土嚢取付片６３にハトメ６８を挿通し、取付ナット６４を締結することで行ったが、これに限定されるものではない。
【０１１９】
例えば、図１０（ｃ）に示すように、植栽用土嚢Ａの縫着部１７に取り付けたハトメ６８部分に平ワッシャー７１を配置し、同平ワッシャー７１とハトメ６８とにタッピングネジ７０を挿通して、その先端を波状板５４にねじ込んで固定するようにしても良い。このような取付構成においても、壁面６０を緑化することができる。
【０１２０】
また、上下左右に隣接する植栽用土嚢Ａ同士を連結リング２５を用いて互いに接続することにより、植栽用土嚢Ａの折れ曲がり等を防止しつつ、植栽用土嚢Ａを整然と配設することができ、外観の美しい緑化を行うことができる。
【０１２１】
また、波状板５４に代えて、図１１に示すような板材７２を使用してもよい。この板材７２は、平板状の主板材７３の表面に複数の帯板材７４を所定間隔を空けながら配置固定したものであり、帯板材７４により前述の水平部５５が形成されることとなるため、植栽用土嚢Ａに対して灌水を行うことができる。
【０１２２】
また、前述の緑化構造Ｅにおいて、波状板５４と植栽用土嚢Ａの設置面１６との間に、パンチングメタル５１を介設するよう構成しても良い（図１２参照。）。このような構成とすることによっても、植栽用土嚢Ａに対して効率的に水６６を供給することができ、植栽した植物を良好に生育させることができる。また、この図１２に示す構造において、パンチングメタル５１に代えて厚手の不織布を介設するように構成しても良い。
【０１２３】
上述してきたように、本実施形態に係る植栽用土嚢Ａによれば、10〜80重量％のパーライトと、10〜80重量％のバーミキュライトと、10〜80重量％の植物繊維（例えば、成熟果ココナッツの表面繊維）とよりなる配合土が所定重量当たり90重量％以上を占める培養土１１を、不織布にて縫製された袋（例えば、植栽用土嚢袋１０）内に収容してなることとしたため、屋根にかかる重量を可及的に低減しながら屋根を緑化することのできる植栽用土嚢Ａを提供することができる。
【０１２４】
また、植栽用土嚢（例えば、植栽用土嚢Ａ）を屋根に配置した屋根の緑化構造であって、屋根に配置した前記植栽用土嚢に給水する給水手段と、前記給水手段から給水された水を、前記植栽用土嚢の設置面側から供給する灌水手段とを具備する底面灌水装置を備えることとしたため、植栽した植物に供給する水の屋根に対する重量負担を可及的に低減しつつ、植物に対して十分な水分を供給することができる。
【０１２５】
最後に、上述した各実施の形態の説明は本発明の一例であり、本発明は上述の実施の形態に限定されることはない。このため、上述した各実施の形態以外であっても、本発明に係る技術的思想を逸脱しない範囲であれば、設計等に応じて種々の変更が可能であることは勿論である。
【０１２６】
本実施形態に係る緑化構造Ｅにおいて、植栽用土嚢Ａは、土嚢取付片６３と取付ナット６４とにより固定することとしたが、これに限定されるものではない。例えば、先端を上方へ向けたＬ字状のフックを波状板５４の表面に突設し、このフックに植栽用土嚢Ａのハトメ６８を挿通させて、植栽用土嚢Ａを係止するように構成しても良い。
【符号の説明】
【０１２７】
１０  植栽用土嚢袋
１１  培養土
１２  培養土収容部
１５  植栽面
１６  設置面
１７  縫着部
１８  膨大部
１９  培養土収納区画部
２０  ワイヤープランツ
３１  陸屋根
３２  被緑化領域
３４  給水配管
３５  軽石
４１  勾配屋根
４２  被緑化領域
４４  給水配管
５１  パンチングメタル
５２  立ち上がり部
５３  孔
Ａ  植栽用土嚢
Ｂ  緑化構造
Ｃ  緑化構造
Ｅ  緑化構造
【図１】
2012115196.tif 000003
【図２】
2012115196.tif 000004
【図３】
2012115196.tif 000005
【図４】
2012115196.tif 000006
【図５】
2012115196.tif 000007
【図６】
2012115196.tif 000008
【図７】
2012115196.tif 000009
【図８】
2012115196.tif 000010
【図９】
2012115196.tif 000011
【図１０】
2012115196.tif 000012
【図１１】
2012115196.tif 000013
【図１２】
2012115196.tif 000014
【手続補正書】
【提出日】平成22年12月2日(2010.12.2)
【手続補正１】
【補正対象書類名】明細書
【補正対象項目名】０１１９
【補正方法】変更
【補正の内容】
【０１１９】
例えば、植栽用土嚢Ａの縫着部１７に取り付けたハトメ６８部分に平ワッシャー７１を配置し、同平ワッシャー７１とハトメ６８とにタッピングネジ７０を挿通して、その先端を波状板５４にねじ込んで固定するようにしても良い。このような取付構成においても、壁面６０を緑化することができる。